(57)【要約】【課題】車両の現在地や時刻に応じて最適な盗難防止制御を行うことができる車両用盗難防止装置を提供する。【解決手段】車両の現在地の情報をナビゲーション装置から取得する。ナビゲーション装置から取得した車両の現在地の情報に基づいて、車両の現在地は自宅か否かを判定する。車両の現在地が自宅の場合は、サイレン２６から出力させる警告音を比較的小音量に設定する。車両の現在地が自宅でない場合は、サイレン２６から出力させる警告音を比較的大音量に設定する。時計２４によって計測した時刻に基づいて、現在は昼間の時間帯であるか否かを判定する。昼間の時間帯の場合は、発光装置２７のＬＥＤを消灯に設定する。昼間の時間帯でない場合、つまり夜間の時間帯の場合は、発光装置２７のＬＥＤを点滅に設定する。【選択図】図２
2008179220.tif 000002
【特許請求の範囲】
【請求項１】
車両の現在地を検出する現在地検出手段と、
現在の時刻を検出する時刻検出手段と、
前記車両の異常状態を検出する車両異常状態検出手段と、
前記車両異常状態検出手段によって前記車両の異常状態を検出すると、所定の警報を行う警報手段とを備え、
前記警報手段は、前記現在地検出手段によって検出した前記車両の現在地および前記時刻検出手段によって検出した時刻に応じて警報形態を変更することを特徴とする車両用盗難防止装置。
【請求項２】
請求項１に記載の車両用盗難防止装置において、
前記車両異常状態検出手段は、複数のセンサを有し、前記現在地検出手段によって検出した前記車両の現在地に応じて前記複数のセンサを選択して使用することを特徴とする車両用盗難防止装置。
【請求項３】
請求項１に記載の車両用盗難防止装置において、
前記車両異常状態検出手段は、複数のセンサを有し、前記現在地検出手段によって検出した前記車両の現在地および前記時刻検出手段によって検出した時刻に応じて前記複数のセンサを選択して使用することを特徴とする車両用盗難防止装置。
【請求項４】
現在の時刻を検出する時刻検出手段と、
車両の異常状態を検出する車両異常状態検出手段と、
前記車両異常状態検出手段によって前記車両の異常状態を検出すると、所定の警報を行う警報手段とを備え、
前記警報手段は、前記時刻検出手段によって検出した時刻に応じて警報形態を変更することを特徴とする車両用盗難防止装置。
【請求項５】
請求項４に記載の車両用盗難防止装置において、
前記車両の現在地を検出する現在地検出手段を備え、
前記車両異常状態検出手段は、複数のセンサを有し、前記現在地検出手段によって検出した前記車両の現在地に応じて前記複数のセンサを選択して使用することを特徴とする車両用盗難防止装置。
【請求項６】
請求項４に記載の車両用盗難防止装置において、
前記車両の現在地を検出する現在地検出手段を備え、
前記車両異常状態検出手段は、複数のセンサを有し、前記現在地検出手段によって検出した前記車両の現在地および前記時刻検出手段によって検出した時刻に応じて前記複数のセンサを選択して使用することを特徴とする車両用盗難防止装置。
【請求項７】
請求項１または４に記載の車両用盗難防止装置において、
前記車両異常状態検出手段は、複数のセンサを有し、前記時刻検出手段によって検出した時刻に応じて前記複数のセンサを選択して使用することを特徴とする車両用盗難防止装置。
【請求項８】
車両の現在地を検出する現在地検出手段と、
前記車両の異常状態を検出する車両異常状態検出手段と、
前記車両異常状態検出手段によって前記車両の異常状態を検出すると、所定の警報を行う警報手段とを備え、
前記車両異常状態検出手段は、複数のセンサを有し、前記現在地検出手段によって検出した前記車両の現在地に応じて前記複数のセンサを選択して使用することを特徴とする車両用盗難防止装置。
【請求項９】
現在の時刻を検出する時刻検出手段と、
車両の異常状態を検出する車両異常状態検出手段と、
前記車両異常状態検出手段によって前記車両の異常状態を検出すると、所定の警報を行う警報手段とを備え、
前記車両異常状態検出手段は、複数のセンサを有し、前記時刻検出手段によって検出した時刻に応じて前記複数のセンサを選択して使用することを特徴とする車両用盗難防止装置。
【請求項１０】
車両の現在地を検出する現在地検出手段と、
現在の時刻を検出する時刻検出手段と、
前記車両の異常状態を検出する車両異常状態検出手段と、
前記車両異常状態検出手段によって前記車両の異常状態を検出すると、所定の警報を行う警報手段とを備え、
前記車両異常状態検出手段は、複数のセンサを有し、前記現在地検出手段によって検出した前記車両の現在地および前記時刻検出手段によって検出した時刻に応じて前記複数のセンサを選択して使用することを特徴とする車両用盗難防止装置。
【発明の詳細な説明】
【技術分野】
【０００１】
本発明は、車両の盗難や車内の物品の盗難を防止する車両用盗難防止装置に関する。
【背景技術】
【０００２】
車両の盗難に係わる状態が発生したとき、車両の現在地に応じて警報形態を変更するようにした車両用盗難防止装置が従来技術として知られている（たとえば、特許文献１）。この車両用盗難防止装置では、車両の現在地が自宅の場合は、比較的小音量で警報音を発生させ、車両の現在地が自宅から離れている場合は、比較的大音量で警報音を発生させる。
【特許文献１】特開２００１−８８６６０号公報
【発明の開示】
【発明が解決しようとする課題】
【０００３】
特許文献１のような従来の車両用盗難防止装置より、さらに最適な盗車難防止制御を行うことが望まれている。
【課題を解決するための手段】
【０００４】
（１）請求項１の発明の車両用盗難防止装置は、車両の現在地を検出する現在地検出手段と、現在の時刻を検出する時刻検出手段と、車両の異常状態を検出する車両異常状態検出手段と、車両異常状態検出手段によって車両の異常状態を検出すると、所定の警報を行う警報手段とを備え、警報手段は、現在地検出手段によって検出した車両の現在地および時刻検出手段によって検出した時刻に応じて警報形態を変更することを特徴とする。
（２）請求項２の発明は、請求項１に記載の車両用盗難防止装置において、車両異常状態検出手段は、複数のセンサを有し、現在地検出手段によって検出した車両の現在地に応じて複数のセンサを選択して使用することを特徴とする。
（３）請求項３の発明は、請求項１に記載の車両用盗難防止装置において、車両異常状態検出手段は、複数のセンサを有し、現在地検出手段によって検出した車両の現在地および時刻検出手段によって検出した時刻に応じて複数のセンサを選択して使用することを特徴とする。
（４）請求項４の発明の車両用盗難防止装置は、現在の時刻を検出する時刻検出手段と、車両の異常状態を検出する車両異常状態検出手段と、車両異常状態検出手段によって車両の異常状態を検出すると、所定の警報を行う警報手段とを備え、警報手段は、時刻検出手段によって検出した時刻に応じて警報形態を変更することを特徴とする。
（５）請求項５の発明は、請求項４に記載の車両用盗難防止装置において、車両の現在地を検出する現在地検出手段を備え、車両異常状態検出手段は、複数のセンサを有し、現在地検出手段によって検出した車両の現在地に応じて複数のセンサを選択して使用することを特徴とする。
（６）請求項６の発明は、請求項４に記載の車両用盗難防止装置において、車両の現在地を検出する現在地検出手段を備え、車両異常状態検出手段は、複数のセンサを有し、現在地検出手段によって検出した車両の現在地および時刻検出手段によって検出した時刻に応じて複数のセンサを選択して使用することを特徴とする。
（７）請求項７の発明は、請求項１または４に記載の車両用盗難防止装置において、車両異常状態検出手段は、複数のセンサを有し、時刻検出手段によって検出した時刻に応じて複数のセンサを選択して使用することを特徴とする。
（８）請求項８の発明の車両用盗難防止装置は、車両の現在地を検出する現在地検出手段と、車両の異常状態を検出する車両異常状態検出手段と、車両異常状態検出手段によって車両の異常状態を検出すると、所定の警報を行う警報手段とを備え、車両異常状態検出手段は、複数のセンサを有し、現在地検出手段によって検出した車両の現在地に応じて複数のセンサを選択して使用することを特徴とする。
（９）請求項９の発明の車両用盗難防止装置は、現在の時刻を検出する時刻検出手段と、車両の異常状態を検出する車両異常状態検出手段と、車両異常状態検出手段によって車両の異常状態を検出すると、所定の警報を行う警報手段とを備え、車両異常状態検出手段は、複数のセンサを有し、時刻検出手段によって検出した時刻に応じて複数のセンサを選択して使用することを特徴とする。
（１０）請求項１０の発明の車両用盗難防止装置は、車両の現在地を検出する現在地検出手段と、現在の時刻を検出する時刻検出手段と、車両の異常状態を検出する車両異常状態検出手段と、車両異常状態検出手段によって車両の異常状態を検出すると、所定の警報を行う警報手段とを備え、車両異常状態検出手段は、複数のセンサを有し、現在地検出手段によって検出した車両の現在地および時刻検出手段によって検出した時刻に応じて複数のセンサを選択して使用することを特徴とする。
【発明の効果】
【０００５】
本発明によれば、車両の現在地や時刻に応じて警報形態を変更するようにしたり、あるいは、車両の現在地や時刻に応じて車両の異常状態を検出するセンサ選択を変更するようにした。したがって、車両の現在地や時刻に応じて最適な盗難防止制御を行うことができる。
【発明を実施するための最良の形態】
【０００６】
本発明の実施形態による車両用盗難防止装置１は、図１に示すように、盗難防止制御装置２とナビゲーション装置３とを含む。盗難防止制御装置２は、盗難に係わる車両の異常状態の発生を検出し、盗難防止のための処理を実行する。ナビゲーション装置３は、車両の現在地を検出する。
【０００７】
図２を参照して、盗難防止制御装置２について説明する。盗難防止制御装置２は、制御回路２１、ＲＯＭ２２、ＲＡＭ２３、時計２４、入力装置２５、サイレン２６、発光装置２７および車両異常検出センサ２８を有している。
【０００８】
制御回路２１は、マイクロプロセッサ及びその周辺回路からなり、ＲＡＭ２３を作業エリアとしてＲＯＭ２２に格納された制御プログラムを実行して各種の制御を行う。また、制御回路１１は、車両異常検出センサ２８により車両の異常発生を検出すると、盗難防止のための処理を実行する。時計２４は、現在の時刻を計測する。
【０００９】
入力装置２５は、盗難防止制御装置２の設定などするための操作キーを有し、盗難防止制御装置２に設けられたボタンスイッチなどによって実現される。
【００１０】
車両異常検出センサ２８は、車両が盗難または車内の物品が盗難されるときに発生する車両の異常状態を検出する。車両異常検出センサ２８として、振動センサ２８ａ、気圧センサ２８ｂ、音感センサ２８ｃ、傾斜センサ２８ｄ、赤外線センサ２８ｅ、超音波センサ２８ｆおよびイグニッションオンセンサ２８ｇを有する。
【００１１】
振動センサ２８ａは、車体の振動を検出し、その検出結果を制御回路２１に出力する。これにより、車内への人の侵入や車両の窓ガラスの破壊などを検出することができる。
【００１２】
気圧センサ２８ｂは、車内の気圧を検出し、その検出結果を制御回路２１に出力する。車両のドアを開閉すると車内の気圧が変化するので、これにより、ドアの開閉を検出することができる。
【００１３】
音感センサ２８ｃは、車両内外の音を検出し、その検出結果を制御回路２１に出力する。車両のドアを開閉したり、窓ガラスを破壊したりすると車両内外より音が発生するので、ドアの開閉や窓ガラスの破壊などを検出することができる。
【００１４】
傾斜センサ２８ｄは、車体の傾きを検出し、その検出結果を制御回路２１に出力する。車両を盗難するために、車両をレッカ車で移動したり、車両のタイヤを盗難するために車両をジャッキアップしたりすると車両は傾くので、車両の盗難やタイヤの盗難などを検出することができる。
【００１５】
赤外線センサ２８ｅは、車内の赤外線を検出し、その検出結果を制御回路２１に出力する。車内に人が侵入すると人体から赤外線が放射されるので、車内の赤外線を検出することによって人の侵入を検出することができる。
【００１６】
超音波センサ２８ｆは、車内に超音波を照射し、反射した超音波を検出し、その検出結果を制御回路２１に出力する。車内に人が侵入すると超音波は反射されるので、車内の人の侵入を検出することができる。
【００１７】
イグニッションオンセンサ２８ｇは、盗難防止制御装置２の動作中のイグニッションオンを検出し、その検出結果を制御回路２１に出力する。これにより、車両の無断運転を検出することができる。
【００１８】
サイレン２６は、盗難しようとする者に対する警告音を発生する。警告音の音量は、後述するナビゲーション装置３が検出した車両の現在地によって、予め設定される。車両異常検出センサ２８により車両の異常状態を検出すると、制御回路１１はサイレン２６より警告音を発生させる。この警告音によって、車両を盗難または車内の物品を盗難しようとする者は退散する。
【００１９】
発光装置２７は、高輝度ＬＥＤ（ Light Emitting Diode ）を備え、高輝度ＬＥＤを点滅させる。制御回路は、車両異常検出センサ２８により車両の異常状態を検出すると、高輝度ＬＥＤを点滅させる。この高輝度ＬＥＤの点滅によって、車両を盗難または車内の物品を盗難しようとする者を威嚇することができる。
【００２０】
次に、図３を参照して、ナビゲーション装置３について説明する。ナビゲーション装置３は、制御回路３１、ＲＯＭ３２、ＲＡＭ３３、現在地検出装置３４、画像メモリ３５、表示モニタ３６、スピーカ３７、入力装置３８およびディスクドライブ３９を有している。ディスクドライブ３９には、地図データが記憶されたＤＶＤ−ＲＯＭ３１０が装填されている。
【００２１】
制御回路３１は、マイクロプロセッサ及びその周辺回路からなり、ＲＡＭ３３を作業エリアとしてＲＯＭ３２に格納された制御プログラムを実行して各種の制御を行う。この制御回路３１がＤＶＤ−ＲＯＭ３１０に記憶された地図データに基づいて所定の経路探索処理を行うと、その処理結果が推奨経路として表示モニタ３６に表示される。
【００２２】
現在地検出装置３４は車両の現在地を検出する装置である。現在地検出装置３４は、振動ジャイロ３４ａ、車速センサ３４ｂ、ＧＰＳ（ Global Positioning System ）センサ３４ｃなどからなる。振動ジャイロ３４ａは、車両の進行方向を検出する。車速センサ３４ｂは、車速を検出する。ＧＰＳセンサ３４ｃは、ＧＰＳ衛星からのＧＰＳ信号を検出する。ナビゲーション装置３は、この現在地検出装置３４により検出された車両の現在地に基づいて、地図の表示範囲や経路探索開始点などを決定するとともに、地図上にその現在地を表示する。
【００２３】
画像メモリ３５は、表示モニタ３６に表示するための画像データを格納する。この画像データは道路地図描画用データや各種の図形データからなり、それらはＤＶＤ−ＲＯＭ３１０に記憶された地図データに基づいて、適宜生成される。ナビゲーション装置３は、このようにして生成された画像データを用いることによって地図表示などを行うことができる。
【００２４】
ディスクドライブ３９は、ＤＶＤ−ＲＯＭ３１０から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、ユーザの要求にしたがって、表示地図の縮尺を変更することができる。なお、ＤＶＤ−ＲＯＭ３１０以外の他の記録メディア、たとえばＣＤ−ＲＯＭやハードディスクなどより地図データを読み出してもよい。
【００２５】
表示モニタ３６は、地図データなどの各種情報に基づいて、自車位置付近の道路地図などの各種情報を画面表示としてユーザに提供する。スピーカ３７は、各種入力操作をユーザに指示したり、経路誘導したりするための音声を出力する。入力装置３８は、ユーザが各種コマンドの設定などするための操作キーを有し、操作パネル上のボタンスイッチやパネル周囲のハードスイッチなどによって実現される。ユーザは、表示モニタ３６の表示画面の指示に従ってパネル上のボタンスイッチを指で押圧することにより、目的地選択などの設定操作を行う。
【００２６】
本発明の実施形態による車両用盗難防止装置１の警報形態の設定処理および異常発生検出手段の設定処理について、図４のフローチャートを参照して説明する。図４の処理は、イグニッションスイッチがオフされるとスタートするプログラムにより、盗難防止制御装置２の制御回路２１において実行される。イグニッションスイッチがオフされると、ナビゲーション装置３は、車両の現在地（たとえば、自宅の位置）を検出し、その検出結果を盗難防止制御装置２に出力するものとして説明する。
【００２７】
ステップＳ４０１では、車両の現在地の情報をナビゲーション装置３から取得する。ステップＳ４０２では、ナビゲーション装置３から取得した車両の現在地の情報に基づいて、車両の現在地は自宅か否かを判定する。車両の現在地が自宅の場合はステップＳ４０２が肯定判定され、ステップＳ４０３へ進む。車両の現在地が自宅でない場合はステップＳ４０２が否定判定され、ステップＳ４０４へ進む。
【００２８】
ステップＳ４０３では、振動センサ２８ａをＯＦＦにし、気圧センサ２８ｂをＯＮにする。ステップＳ４０４では、サイレン２６から出力させる警告音を比較的小音量に設定する。これにより、車両の現在地が自宅の場合では、車両異常検出センサ２８が車両の盗難または車内の物品の盗難に伴う異常状態を検出すると、サイレン２６から比較的小音量で警告音が出力される。
【００２９】
ステップＳ４０５では、振動センサ２８ａをＯＮにし、気圧センサ２８ｂをＯＮにする。ステップＳ４０６では、サイレン２６から出力させる警告音を比較的大音量に設定する。これにより、車両の現在地が自宅以外の場合では、車両異常検出センサ２８が車両の盗難または車内の物品の盗難に伴う異常状態を検出すると、サイレン２６から比較的大音量で警告音が出力される。
【００３０】
ステップＳ４０７では、時計２４によって計測した時刻に基づいて、現在は昼間の時間帯であるか否かを判定する。昼間の時間帯の場合はステップＳ４０７が肯定判定され、ステップＳ４０８へ進む。昼間の時間帯でない場合、つまり夜間の時間帯の場合はステップＳ４０５が否定判定され、ステップＳ４０９へ進む。
【００３１】
ステップＳ４０８では、発光装置２７のＬＥＤを消灯に設定する。これにより、昼間の時間帯では、車両異常検出センサ２８が車両の盗難または車内の物品の盗難に伴う異常状態を検出しても発光装置２７のＬＥＤは点滅しない。ステップＳ４０９では、発光装置２７のＬＥＤを点滅に設定する。これにより、夜間の時間帯では、車両異常検出センサ２８が車両の盗難または車内の物品の盗難に伴う異常状態を検出すると発光装置２７のＬＥＤは点滅する。
【００３２】
ステップＳ４１０では、イグニッションスイッチがオンされたか否かを判定する。イグニッションスイッチがオンされた場合は処理を終了する。イグニッションスイッチがオフの場合はステップＳ４０７に戻る。
【００３３】
以上の本発明の実施の形態によるナビゲーション装置１は次のような作用効果を奏する。
（１）車両の現在地および時刻に応じて、サイレン２６から出力される警告音の音量の設定および発光装置２７におけるＬＥＤの点滅の設定を変更し、車両異常検出センサ２８が車両の異常状態を検出したときの警報形態を変更するようにした。したがって、車両の現在地や時刻に応じて最適な車両用盗難防止装置１の制御、つまり、最適な盗難防止制御を行うことができる。
【００３４】
車両が自宅に駐車しているときは、所有者は車両の近くにいる場合が多いのでサイレンの音量を大きくする必要はない。また、誤作動したとき近所迷惑になる場合がある。一方、車両が自宅に駐車していない場合は、所有者は車両の近くにいない場合が多いのでサイレンの音量を大きくして、車両周囲にいる人に知らせる必要がある。
【００３５】
また、昼間の時間帯の場合は、車両の周囲は明るいので、発光装置２７の高輝度ＬＥＤを点滅させてもあまり目立たない。この場合、発光装置２７の高輝度ＬＥＤを点滅させる効果よりも高輝度ＬＥＤを消灯させることによるバッテリの消耗を防ぐ効果の方が大きい。したがって、昼間の時間帯では、発光装置２７の高輝度ＬＥＤを消灯させた方が効果的である。一方、夜間の時間帯の場合は、車両の周囲は暗いので、発光装置２７の高輝度ＬＥＤを点滅させると目立つ。この場合、発光装置２７の高輝度ＬＥＤを点滅させる効果の方が、高輝度ＬＥＤを消灯させることによるバッテリの消耗を防ぐ効果よりも大きい。したがって、夜間の時間帯では、発光装置２７の高輝度ＬＥＤを点滅させた方が効果的である。
【００３６】
（２）車両の現在地に応じて盗難の発生などの異常状態を検出する車両異常検出センサ２８の選択を変更するようにした。したがって、車両の現在地に応じて最適な盗難防止制御を行うことができる。車両が自宅に駐車しているときは、子供が車両を触ったり、車両にぶつかったりして、車両が振動し、振動センサ２８ａがその振動を検出して、車両用盗難防止装置１が誤作動することが多い。したがって、車両が自宅に駐車しているときは振動センサ２８ａをオフにして、ほかの車両異常検出センサ２８（この場合、気圧センサ２８ｂ）によって盗難の発生などを検出する。一方、車両が自宅に駐車していないときは、子供が車両を触ったり、車両にぶつかったりして車両用盗難防止装置１が誤作動することは少ないので、振動センサ２８ａもオンにする。
【００３７】
以上の実施の形態を次のように変形することができる。
（１）昼間の時間帯の場合は、発光装置２７のＬＥＤを消灯させ、夜間の時間帯の場合は、発光装置２７のＬＥＤを点滅させたが、さらに、夜間の時間帯で車両が自宅に駐車しているときは、サイレン２６から出力させる警告音をさらに小音量に設定するようにしてもよい。昼間の時間帯では、近所迷惑にならない音量でも、夜間の時間帯では、近所迷惑になる場合があるからである。このようにして、車両の現在地および時刻に応じてサイレン２６の音量を最適に設定することができる。
【００３８】
（２）時刻のみに応じて、サイレン２６から出力される警告音の音量の設定を変更し、車両異常検出センサ２８が車両の異常状態を検出したときの警報形態を変更するようにしてもよい。たとえば、昼間の時間帯では、サイレン２６から出力させる警告音を比較的大音量に設定し、夜間の時間帯では、サイレン２６から出力させる警告音を比較的小音量に設定するようにしてもよい。昼間の時間帯では、近所迷惑にならない音量でも、夜間の時間帯では、近所迷惑になる場合があるからである。これにより、時刻に応じて最適な盗難防止制御を行うことができる。
【００３９】
（３）車両の現在地に応じて車両の異常状態を検出する車両異常検出センサ２８を変更するようにした。しかし、時刻に応じて、または車両の現在地および時刻に応じて車両の異常状態を検出する車両異常検出センサ２８を変更するようにしてもよい。このようにすることによって、車両の現在地や時刻に応じて最適な盗難防止制御を行うことができる。たとえば、昼間の時間帯では車両の周囲の騒音が激しい場合があるので、音感センサ２８ｃをオフにし、夜間の時間帯では音感センサ２８ｃをオンにするようにしてもよい。また、車両が自宅に駐車しているとき、振動センサ２８ａはオフであった。しかし、夜間の時間帯では、子供が車両を触ったり、車両にぶつかったりすることが少ないので、車両が自宅に駐車していても振動センサ２８ａをオンにしてもよい。
【００４０】
（４）ユーザが地図上の位置や範囲を指定して、その位置や範囲で出力するサイレンの音量やその位置や範囲の発光装置２７の高輝度ＬＥＤの点滅の有無などを設定できるようにしてもよい。さらに、時刻を指定して、その時間帯で出力するサイレンの音量やその時間帯の発光装置２７の高輝度ＬＥＤの点滅の有無などを設定できるようにしてもよい。ユーザによる地図上の位置や範囲の指定および警報形態の設定により、的確に盗難を防止することができる。
【００４１】
（５）ユーザが地図上の位置や範囲を指定して、その位置や範囲で車両盗難などを検出するために使用する車両異常検出センサ２８を選択できるようにしてもよい。たとえば、動物が多い場所や木の実が落ちてくる可能性が高い場所、強風の発生する場所においては、動物が車両に乗ったり、車両に木の実が落ちたり、車両に強風が吹きつけたりする。これにより、車両が振動し、振動センサ２８ａがそれを検出し、車両用盗難防止装置１が誤作動する。このような誤作動を防ぐために、ユーザの指定により、動物が多い場所や木の実が落ちてくる可能性が高い場所、強風の発生する場所においては、振動センサ２８ａをオフにするようにしてもよい。ユーザによる地図上の位置や範囲の指定および車両異常検出センサ２８の設定により、的確に盗難を防止することができる。
【００４２】
（６）車両異常検出センサ２８により車両の異常状態を検出すると、制御回路１１はサイレン２６より警告音を発生させ、発光装置２７の高輝度ＬＥＤを点滅させることによって警報を行った。さらに車両のヘッドランプやハザードランプの点灯によって警報を行うようにしてもよい。また、車両異常検出センサ２８により車両の異常状態を検出すると、車両の所有者の携帯電話や自宅、会社などに盗難発生などを通報するようにしてもよい。
【００４３】
（７）車両を盗難または車内の物品を盗難しようとする者を威嚇するために、車両用盗難防止装置１の動作中、発光装置２７の高輝度ＬＥＤを点滅させるようにしてもよい。また、この場合も、昼間の時間帯は、発光装置２７の高輝度ＬＥＤを消灯させ、夜間の時間帯は、発光装置２７の高輝度ＬＥＤを点滅させるようにしてもよい。
【００４４】
以上の説明はあくまで一例であり、発明は、上記の実施形態に何ら限定されるものではない。
【００４５】
特許請求の範囲の要素と実施の形態との対応関係を説明する。
本発明の現在地検出手段はナビゲーション装置３に対応し、時刻検出手段は時計２４に対応する。車両異常状態検出手段は制御回路２１および車両異常検出センサ２８に対応し、警報手段はサイレン２６および発光装置２７に対応する。なお、以上の説明はあくまで一例であり、発明を解釈する上で、上記の実施形態の構成要素と本発明の構成要素の対応関係になんら限定されるものではない。
【図面の簡単な説明】
【００４６】
【図１】本発明の一実施形態による車両用盗難防止装置の構成を示すブロック図である。
【図２】本発明の一実施形態による車両用盗難防止装置を構成する盗難防止制御装置の構成を示すブロック図である。
【図３】本発明の一実施形態による車両用盗難防止装置を構成するナビゲーション装置の構成を示すブロック図である。
【図４】本発明の実施形態による車両用盗難防止装置の警報形態の設定処理および異常発生検出手段の設定処理を説明するためのフローチャートである。
【符号の説明】
【００４７】
１  車両用盗難防止装置
２  盗難防止制御装置
３  ナビゲーション装置
２１，３１  制御回路
２４  時計
２６  サイレン
２７  発光装置
２８  車両異常検出センサ
３４  現在地検出装置
３１０  ＤＶＤ−ＲＯＭ
【図１】
2008179220.tif 000003
【図２】
2008179220.tif 000004
【図３】
2008179220.tif 000005
【図４】
2008179220.tif 000006